(57)【要約】【課題】垂直磁場方式のＭＲＩ装置において、イメージングに影響を与えず、かつ、開放性を損なうことなく、傾斜磁場コイル等への電流供給等を行うための配線とそのメンテナンスを容易にする。【解決手段】静磁場発生系上の傾斜磁場コイルを設置する凹みの略側面または略中央に配線を通す貫通穴を設け、この貫通穴に電流供給用の配線と傾斜磁場コイルを冷却する配管を通して固定する。その後、傾斜磁場コイルの略側面または略中央に接続端子を設けて配線と配管と接続する。あるいは、傾斜磁場コイルに配線と配管を接続した状態で、この配線と配管を貫通穴に通して固定してもよい。【選択図】      図１
2004344182.tif 000002
【特許請求の範囲】
【請求項１】
対向配置されて間の空間に均一静磁場領域を形成する１対の静磁場発生源と静磁場の均一度を調節するシムコイルからなる静磁場発生系と、前記静磁場発生系の対向面側に均一静磁場領域を挟んで対向配置された１対の傾斜磁場コイルと、高周波磁場を発生させて被検体に核磁気共鳴現象を誘起させる高周波磁場コイルを備えた磁気共鳴イメージング装置において、
前記傾斜磁場コイルは、電流受給用端子を備え、
前記静磁場発生系は、前記傾斜磁場コイルを収容する凹みと、対向面側とその反対面側とを結んで貫通する貫通穴を備え、
前記貫通穴内に、前記傾斜磁場コイルに電流を供給する配線が固定され、
前記配線は、その前記傾斜磁場コイル側に電流供給用端子を備え、
前記電流受給用端子と前記電流供給用端子とを接続し、
前記傾斜磁場コイルを前記静磁場発生系の凹みに固定して
構成されたことを特徴とする磁気共鳴イメージング装置。
【請求項２】
請求項１に於いて、前記高周波磁場コイルと前記シムコイルへの電流供給のための配線と、前記高周波コイルにて受信したエコー信号を送信するための配線が、前記貫通穴内に固定されたことを特徴とする磁気共鳴イメージング装置。
【請求項３】
請求項１または請求項２に於いて、前記傾斜磁場コイルは、その略側面に少なくても１以上の電流受給用端子を備え、前記静磁場発生系は、前記凹みの略側面に少なくとも１以上の前記貫通穴を備えたことを特徴とする磁気共鳴イメージング装置。
【請求項４】
請求項１または請求項２に於いて、前記傾斜磁場コイルは、その均一静磁場側面の反対側面の略中央に少なくても１以上の電流受給用端子を備え、前記静磁場発生系は、前記凹みの略中央に少なくとも１以上の前記貫通穴を備えたことを特徴とする磁気共鳴イメージング装置。
【請求項５】
請求項１または請求項２または請求項３または請求項４に於いて、前記貫通穴と前記配線の隙間にクッション材を充填することによって、前記貫通穴内に前期配線を固定したことを特徴とする磁気共鳴イメージング装置。
【請求項６】
請求項３に於いて、前記貫通穴と前記配線の隙間に液状の固定剤を充填して硬化させることによって、前記貫通穴内に前期配線を固定したことを特徴とする磁気共鳴イメージング装置。
【請求項７】
請求項３に於いて、直線状のガイドに前記配線を固定し、前記貫通穴には当該ガイドを案内するレールを設置し、当該ガイドを当該レールに沿って挿入して固定することによって、前記貫通穴内に前期配線を固定したことを特徴とする磁気共鳴イメージング装置。
【請求項８】
請求項１または請求項２または請求項３または請求項４に於いて、前記電流供給用端子と前記電流需給端子のいずれか一方は窪みを備え、他方は当該窪みに挿入される突起を備え、当該突起を当該窪みに挿入することにより、前記傾斜磁場コイルと前記配線を接続したことを特徴とする磁気共鳴イメージング装置。
【請求項９】
請求項３に於いて、前記電流受給用端子と前記電流供給用端子のいずれにも、お互いをボルト締結するための穴を備え、当該ボルト締結用の穴を通してボルト締結することにより、前記傾斜磁場コイルと前記配線を接続したことを特徴とする磁気共鳴イメージング装置。
【請求項１０】
請求項１または請求項２または請求項３または請求項４に於いて、お互いに電気的に接触する一対のコネクタの内、一方を前記電流受給用端子が備え、他方を前記電流供給用端子が備えて、当該１対のコネクタを接続することにより、前記傾斜磁場コイルと前記配線を接続したことを特徴とする磁気共鳴イメージング装置。
【請求項１１】
対向配置されて間の空間に均一静磁場領域を形成する１対の静磁場発生源と静磁場の均一度を調節するシムコイルからなる静磁場発生系と、前記静磁場発生系の対向面側に均一静磁場領域を挟んで対向配置された１対の傾斜磁場コイルと、高周波磁場を発生させて被検体に磁気共鳴現象を誘起させる高周波磁場コイルを備えた磁気共鳴イメージング装置において、
前記傾斜磁場コイルは、冷媒受給用端子を備え、
前記静磁場発生系は、前記傾斜磁場コイルを収容する凹みと、対向面側とその反対面側とを結んで貫通する貫通穴を備え、
前記貫通穴内に、前記傾斜磁場コイルに冷媒を供給する配管が固定され、
前記配管は、その前記傾斜磁場コイル側に冷媒供給用端子を備え、
前記冷媒供給用端子と前記冷媒受給端子とを接続し、
前記傾斜磁場コイルを前記静磁場発生系の凹みに固定して
構成されたことを特徴とする磁気共鳴イメージング装置。
【請求項１２】
請求項１１に於いて、前記傾斜磁場コイルは、その略側面に少なくても１以上の冷媒受給用端子を備え、前記静磁場発生系は、前記凹みの略側面に少なくとも１以上の前記貫通穴を備えたことを特徴とする磁気共鳴イメージング装置。
【請求項１３】
請求項１１に於いて、前記傾斜磁場コイルは、その均一静磁場側面の反対側面の略中央に少なくても１以上の冷媒供給用端子を備え、前記静磁場発生系は、前記凹みの略中央に少なくとも１以上の前記貫通穴を備えたことを特徴とする磁気共鳴イメージング装置。
【請求項１４】
請求項１１に於いて、前記冷媒供給用端子と前記冷媒需給端子のいずれか一方は窪みを備え、他方は当該窪みに挿入される突起を備え、当該突起を当該窪みに挿入することにより、前記傾斜磁場コイルと前記配管を接続したことを特徴とする磁気共鳴イメージング装置。
【請求項１５】
請求項１１に於いて、お互いに冷媒を搬送させる一対のコネクタの内、一方を前記冷媒受給用端子が備え、他方を前記冷媒供給用端子が備えて、当該１対のコネクタを接続することにより、前記傾斜磁場コイルと前記配管を接続したことを特徴とする磁気共鳴イメージング装置。
【発明の詳細な説明】
【０００１】
【発明の属する技術分野】
本発明は、垂直磁場方式の磁気共鳴イメージング（以下「ＭＲＩ」という。）装置に関し、特に、傾斜磁場コイルや高周波磁場コイルに電流を供給するための配線、および、傾斜磁場コイルを冷却する冷媒を供給するための配管の固定構造に関する。
【０００２】
【従来の技術】
ＭＲＩ装置には、静磁場発生の方式として水平磁場方式の円筒型と垂直磁場方式の対向型があり、垂直磁場方式の対向型が開放性に優れる。そして、静磁場を発生させる手段として、常伝導磁石、永久磁石、超電導磁石を用いたものがあるが、高い静磁場強度を発生させるには超電導磁石が用いられる。さらに、イメージングの際には、高周波磁場コイルを通して電磁波を被検体に照射することによって誘起される核磁気共鳴（以下「ＮＭＲ」という）信号を受信する際に、傾斜磁場を印加することにより被検体の位置情報をＮＭＲ信号に付与する。
【０００３】
上記の垂直磁場方式のＭＲＩ装置では、一般的に一対の静磁場発生源が上下方向に対向して配置され、静磁場方向が被検体の体軸方向と直交する。そのため、平板状の傾斜磁場コイルが両静磁場発生源の間に形成される均一静磁場領域を挟んで対向配置される。さらに、垂直磁場方式の静磁場発生源として超電導磁石を用いたＭＲＩ装置では、開放性を高めるために上記傾斜磁場コイルは超電導コイルの凹みに配置される。
【０００４】
さらに、傾斜磁場コイルと高周波磁場コイルの他に静磁場均一度を調節するシムコイルおよび高周波磁場コイルへの電流の供給や傾斜磁場コイル内部を冷却する冷媒の供給のために、静磁場発生系を通して電源装置や冷媒循環装置からの配線や配管を接続する必要がある。具体的には、外径φ１０〜３０ｍｍのケーブルや配管を６〜１０本程度接続する必要があるが、開放側に配線や配管を固定するとＭＲＩ装置の開放性が失われてしまう。
【０００５】
上記問題を解決する公知例として、［特許文献１］と［特許文献２］がある。［特許文献１］では、ポールピースに設けた切り欠きを通して、配線を固定している。また［特許文献２］では、配線が静磁場発生装置の中央穴を経由して配線されている。
【０００６】
【特許文献１】
特願２００１−２４０９３７号公報
【特許文献２】
特願２０００−２４３０５８号公報
【０００７】
【発明が解決しようとする課題】
［特許文献１］は、ポールピースに切り欠きを設けると、切り欠き部の磁性体の物量が減るため、静磁場の均一度を低減させてしまう。また、超電導コイル容器の開放側に切り欠きを設けることは容易ではなく、切り欠くスペースもない。［特許文献２］は、配線を超電導コイル中央の穴を経由して外部に取り出しているため、配線にはローレンツ力による振動が発生する。この振動が画像へ悪影響を及ぼすため、配線を強固に固定しなければならないが、具体的な固定方法が示されていない。
【０００８】
そこで本発明は、垂直磁場方式のＭＲＩ装置において、イメージングに影響を与えず、かつ、開放性を損なうことなく、傾斜磁場コイル、高周波磁場コイル、シムコイルへの電流供給とエコー信号の受信を行うための配線および傾斜磁場コイルを冷却する冷媒を供給するための配管の固定と、お互いの接続が、共に容易にでき、また、メンテナンス時の傾斜磁場コイル、高周波磁場コイル、シムコイルの着脱を容易にすることを目的とする。
【０００９】
【課題を解決するための手段】
前記課題を解決するために、本発明は以下の様に構成される。
（１）対向配置されて間の空間に均一静磁場領域を形成する１対の静磁場発生源と静磁場の均一度を調節するシムコイルからなる静磁場発生系と、前記静磁場発生系の対向面側に均一静磁場領域を挟んで対向配置された１対の傾斜磁場コイルと、高周波磁場を発生させて被検体に磁気共鳴現象を誘起させる高周波磁場コイルを備えた磁気共鳴イメージング装置において、
前記傾斜磁場コイルは、電流受給用端子を備え、
前記静磁場発生系は、前記傾斜磁場コイルを収容する凹みと、対向面側とその反対面側とを結んで貫通する貫通穴を備え、
前記貫通穴内に、前記傾斜磁場コイルに電流を供給する配線が固定され、
前記配線は、その前記傾斜磁場コイル側に電流供給用端子を備え、
前記電流受給用端子と前記電流供給用端子とを接続し、
前記傾斜磁場コイルを前記静磁場発生系の凹みに固定して
構成される。
（２）また、好ましくは、前記（１）に於いて、前記高周波磁場コイルと前記シムコイルへの電流供給のための配線と、前記高周波コイルにて受信したエコー信号を送信するための配線が、前記貫通穴内に固定される。
（３）好ましくは、前記（１）または前記（２）に於いて、前記傾斜磁場コイルは、その略側面に少なくても１以上の電流受給用端子を備え、前記静磁場発生系は、前記凹みの略側面に少なくとも１以上の前記貫通穴を備える。
（４）また、好ましくは、前記（１）または前記（２）に於いて、前記傾斜磁場コイルは、その均一静磁場側面の反対側面の略中央に少なくても１以上の電流受給用端子を備え、前記静磁場発生系は、前記凹みの略中央に少なくとも１以上の前記貫通穴を備える。
（５）また、好ましくは、前記（１）または前記（２）または前記（３）または前記（４）に於いて、前記貫通穴と前記配線の隙間にクッション材を充填することによって、前記貫通穴内に前期配線を固定する。
（６）また、好ましくは、前記（３）に於いて、前記貫通穴と前記配線の隙間に液状の固定剤を充填して硬化させることによって、前記貫通穴内に前期配線を固定する。
（７）また、好ましくは、前記（３）に於いて、直線状のガイドに前記配線を固定し、前記貫通穴には当該ガイドを案内するレールを設置し、当該ガイドを当該レールに沿って挿入して固定することによって、前記貫通穴内に前期配線を固定したことを特徴とする磁気共鳴イメージング装置。
（８）また、好ましくは、前記（１）または前記（２）または前記（３）または前記（４）に於いて、前記電流供給用端子と前記電流需給端子のいずれか一方は窪みを備え、他方は当該窪みに挿入される突起を備え、当該突起を当該窪みに挿入することにより、前記傾斜磁場コイルと前記配線を接続する。
（９）また、好ましくは、前記（３）に於いて、前記電流受給用端子と前記電流供給用端子のいずれにも、お互いをボルト締結するための穴を備え、当該ボルト締結用の穴を通してボルト締結することにより、前記傾斜磁場コイルと前記配線を接続する。
（１０）また、好ましくは、前記（１）または前記（２）または前記（３）または前記（４）に於いて、お互いに電気的に接触する一対のコネクタの内、一方を前記電流受給用端子が備え、他方を前記電流供給用端子が備えて、当該１対のコネクタを接続することにより、前記傾斜磁場コイルと前記配線を接続する。
（１１）また、好ましくは、対向配置されて間の空間に均一静磁場領域を形成する１対の静磁場発生源と静磁場の均一度を調節するシムコイルからなる静磁場発生系と、前記静磁場発生系の対向面側に均一静磁場領域を挟んで対向配置された１対の傾斜磁場コイルと、高周波磁場を発生させて被検体に磁気共鳴現象を誘起させる高周波磁場コイルを備えた磁気共鳴イメージング装置において、
前記傾斜磁場コイルは、冷媒受給用端子を備え、
前記静磁場発生系は、前記傾斜磁場コイルを収容する凹みと、対向面側とその反対面側とを結んで貫通する貫通穴を備え、
前記貫通穴内に、前記傾斜磁場コイル側に冷媒を供給する配管が固定され、
前記配管は、その前記傾斜磁場コイル側に冷媒供給用端子を備え、
前記冷媒供給用端子と前記冷媒受給端子とを接続し、
前記傾斜磁場コイルを前記静磁場発生系の凹みに固定して
構成される。
（１２）また、好ましくは、前記（１１）に於いて、前記傾斜磁場コイルは、その略側面に少なくても１以上の冷媒受給用端子を備え、前記静磁場発生系は、前記凹みの略側面に少なくとも１以上の前記貫通穴を備える。
（１３）また、好ましくは、前記（１１）に於いて、前記傾斜磁場コイルは、その均一静磁場側面の反対側面の略中央に少なくても１以上の冷媒供給用端子を備え、前記静磁場発生系は、前記凹みの略中央に少なくとも１以上の前記貫通穴を備える。
（１４）また、好ましくは、前記（１１）に於いて、前記冷媒供給用端子と前記冷媒需給端子のいずれか一方は窪みを備え、他方は当該窪みに挿入される突起を備え、当該突起を当該窪みに挿入することにより、前記傾斜磁場コイルと前記配管を接続する。
（１５）また、好ましくは、前記（１１）に於いて、お互いに冷媒を搬送させる一対のコネクタの内、一方を前記冷媒受給用端子が備え、他方を前記冷媒供給用端子が備えて、当該１対のコネクタを接続することにより、前記傾斜磁場コイルと前記配管を接続する。
【００１０】
これにより、ＭＲＩ装置において、開放性を損なうことのなく、傾斜磁場コイル、高周波磁場コイル、シムコイルへの電流供給とエコー信号の受信を行うための配線および傾斜磁場コイルを冷却する冷媒を供給するための配管の固定と、お互いの接続が、共に容易にでき、また、メンテナンス時の傾斜磁場コイル、高周波磁場コイル、シムコイルの着脱が容易にできるようになる。
【００１１】
【発明の実施の形態】
以下、本発明の実施例を添付図面に基づいて説明する。なお、発明の実施の形態を説明するための全図において、同一機能を有するものは同一符号を付け、その繰り返しの説明は省略する。
【００１２】
最初にＭＲＩ装置の基本的な概要を図１に基づいて説明する。ＭＲＩ装置は、核磁気共鳴現象を利用して被検体の断層画像を得るもので、同図に示すように静磁場発生系１と、傾斜磁場コイル２と、高周波磁場コイル３とを備えて構成される。
【００１３】
静磁場発生系１は、上下に対向して配置されて均一静磁場領域５０を形成する１対の静磁場発生源と図示せぬ静磁場均一度を調節するシムコイルからなる。静磁場発生源には、超電導磁石または常電導磁石または永久磁石が用いられる。超電導磁石の場合は、超電導材料をコイル形状に巻いた超電導コイルをステンレスまたはＧＦＲＰ製のクライオ容器内に収容して構成される。
【００１４】
図示せぬ被検体は図示せぬベッド上に横たわって、均一静磁場領域５０内に配置される。傾斜磁場コイル２は、均一静磁場領域５０を挟んで上下に対向して配置され、静磁場発生系１の均一静磁場領域５０側の凹み内に固定される。高周波磁場コイル３は、均一静磁場領域５０を挟んで上下に対向して配置され、傾斜磁場コイル２の均一静磁場領域５０側（つまり、最も内側）に固定される。
【００１５】
傾斜磁場コイル２は、互いに直交する３軸方向に傾斜磁場を発生させるため、３つのコイルから構成される。各コイルは傾斜磁場電源３１に接続されて駆動電流が供給される。この傾斜磁場コイル２は、静磁場発生系１に設けた図示せぬ固定スタッド（台座）に取り付けられる。
【００１６】
高周波磁場コイル３は送信器３２に接続され、送信器３２は高周波電流を高周波磁場コイル３に送り、高周波磁場を発生させる。また、高周波磁場コイル３は、受信器３３にも接続され、受信器３３は高周波磁場コイル３を通して被検体からのＮＭＲ信号を受信する。受信器３３で得られたＮＭＲ信号は、データ処理器３４に送られ、再構成画像を得るための信号処理が行われる。
【００１７】
制御器３０は、前記傾斜磁場電源３１と、送信器３２と、受信器３３に対して、適切なタイミングで動作するように制御する。
【００１８】
次に、本発明に係る第１実施例を図１に基づいて説明する。
静磁場発生系１には、中央の凹み４の側面付近、つまり傾斜磁場コイル側面付近に、少なくとも１以上（図１では両側に２つ）の貫通穴５が対向面側からその反対面側を結んで開けられている。穴の断面形状は、円、四角形、楕円などでいずれでも良い。
【００１９】
図２に傾斜磁場コイル、及び高周波磁場コイルの配線を固定する構造を示す。静磁場発生系組立時に、貫通穴に配線６を通し、液ダメ７を穴の下方に配置し、上方から固定剤（例えば樹脂、発泡剤）８を流し込んで硬化させることにより配線を固定する。液ダメ７は、樹脂、またはシリコンゴムなどの高分子材料でもよく、気密性の高いものが良い。
【００２０】
また図３に示すように、あらかじめ外径が穴形状に加工されたクッション材（例えばコルク、緩衝材）９に配線６を固定し、前記クッション材を穴に挿入しても良い。クッション材９の固定は、あらかじめクッション材外表面に接着剤を塗っておくか、または、挿入後に接着剤を流し込む方法でも良い。
【００２１】
また図４に示すように、直線状のガイド２１に配線６を固定しても良い。一方、貫通穴５には、ガイド２１を案内するレール２２を設ける。これにより、配線を固定したガイドをレール２２に沿って案内し、所定の位置でガイド２１を固定する。
【００２２】
図５には、配線６と、傾斜磁場コイルからの端子を接続する構造を示す。図６は図５を上方から見た図である。端子１０は静磁場発生系側からの配線の先に取り付けた電流供給端子であり、端子１１は傾斜磁場コイルから出ている電流受給端子である。図６のように上方からアクセスできるため、視認性が良く、ボルト１２にて締結が容易である。また、ボルトを外すだけで配線と分離できるので、傾斜磁場コイルの取り付け、取り外しが容易になる。
【００２３】
また、端子は図５の様にボルトで締結せずに、コネクタを用いて電気的に接触させるだけでも良い。一例として、図７にコネクタ（例えば、マルチコンタクト社製の「フォークプラグ」）を用いた電流供給端子１３、電流受給端子１４の例を示す。
【００２４】
以上が第１実施例であるが、図１に基づく第２実施例として、事前に傾斜磁場コイル２に配線６を取り付けておき、傾斜磁場コイル２を静磁場発生系１に取り付ける際に、配線６を貫通穴５に固定する方法を説明する。
傾斜磁場コイル２から引き出している配線６は、取り付ける際に貫通穴５を通す。方法としては、ケーブルにガイド２１となる棒状のものを仮固定し、ガイド２１を貫通穴に設けたレール２２に通す。次に、貫通穴５の下方に液ダメを配置し、上方より固定剤８を流し込み、硬化させる。
【００２５】
または、レールを用いずにガイドのみで貫通穴を通し、貫通穴５の下方に液ダメを配置し、上方より固定剤８を流し込み硬化させても良い。また、ガイドの先端に配線６を仮固定し、貫通穴をガイドした後はガイドを取り外しても良い。
【００２６】
次に、本発明に係る第３実施例を図８に基づいて説明する。
図８の静磁場発生系１には、中央の凹み４の中心部に少なくとも１以上（図８では１つ）の貫通穴５が対向面側からその反対面側を結んで開けられている。接続端子以外の構成は、第１実施例の図１と同じである。
【００２７】
図９に配線６と、傾斜磁場コイル２からの端子を接続する構造を示す。端子１５は静磁場発生系側からの配線の先に取り付けた電流供給端子であり、窪みを設けている。ここでは、この窪みの形状を円形としているが、特に円形である必要はなく多角形でも良い。端子１６は、傾斜磁場コイル２から出ている電流受給端子であり、端子１５の円形の窪みに挿入される突起を設けている。そして、電流受給端子１６を電流供給端子１５に挿入することにより、傾斜磁場コイル２を配線６に接続する。このようにすることで、静磁場発生系１の中央部にて配線の接続ができ、取り外しも容易になる。この様なコネクタの具体例として、マルチコンタクト社製の「Ｂ１０Ｎソケット」と「Ｓ１０Ｎプラグ」を用いることができる。さらには、ロック式のコネクタ（例えば、マルチコネクタ社製の「Ｂ１０ＡＲ―Ｎソケット」と「Ｓ１０ＡＲ―Ｎプラグ」）または図７に示すようなコネクタで垂直方向に接続可能なものを用いても良い。
【００２８】
以上が第３実施例であるが、図８に基づく第４実施例として、第３実施例において事前に傾斜磁場コイル２に配線６を取り付けておき、傾斜磁場コイル２を静磁場発生系１に取り付ける際に、配線６を貫通穴５に固定する方法を説明する。
傾斜磁場コイル２から引き出している配線６は、取り付ける際に貫通穴５を通す。図１０に示すように、方法としては、あらかじめ外径が穴形状に加工されたクッション材１７を配線６に固定し、クッション材１７を穴に挿入する。クッション材１７の固定は、クッション材外表面にあらかじめ塗布された接着剤に固定する。
【００２９】
以上は、傾斜磁場コイルへの配線について説明したが、高周波磁場コイルやシムコイルへの配線とお互いの接続も同様に行うことができる。その際複数の貫通穴を設けて個別に、或いは、グループ別けしてそれぞれを貫通穴に通しても良い。或いは、全ての必要な配線を束ねて一つにまとめた状態で貫通穴に固定することができる。
【００３０】
次に、傾斜磁場コイルを冷却する冷媒を供給するための配管の固定について説明する。
図１１には、傾斜磁場コイル側面部にて、配管と傾斜磁場コイルからの端子を接続する構造を示す。端子１００は静磁場発生系側からの配管の先に取り付けた冷媒供給端子であり、端子１０１は傾斜磁場コイルから出ている冷媒受給端子である。
この配管及び端子には、中空の貫通穴が設けられている。形状は四角形でも円でも良い。冷媒供給端子１００の先端部突起は、冷媒受給端子１０１に設けられた窪みに挿入される。この端子に、図１２のようなロック式のコネクタ１０２を用いることで、着脱が可能となる。
【００３１】
または、図１３のように、冷媒供給端子１００を省略し、さらには外部からの配管にゴム製のチューブ１０５を用いた場合は、固定用バンド１０３をネジ１０４で締め付けることにより配管を固定しても良い。この様な端子の例としてストーブリ社製の「クイックリリースカップリング」を用いることができる。
【００３２】
または、冷媒供給端子１００、及び冷媒受給端子１０１に非磁性の金属材料（真鍮、ステンレスなど）を用いた場合は、ろう付けにより固定しても良い。または、図１４のように、ナット１０６を回転させることにより配管と端子を固定するスウェージロック式のコネクタを用いても良い。
【００３３】
以上のように構成することにより、管内に冷媒（液体、または気体）を循環させ、傾斜磁場コイルの外部で前記冷媒を冷却することにより、傾斜磁場コイルを冷却できる。さらには、この配管及び端子に導電性材を用いる場合には、電源からの電流を配管に接続することで、傾斜磁場コイルに電流を供給することもできる。
以上は、傾斜磁場コイル側面部にて、接続する場合の構造であるが、図１５のように、中央部にも適応できる。
【００３４】
【発明の効果】
本発明によれば、ＭＲＩ装置において、開放性を損なうことのなく、傾斜磁場コイル、高周波磁場コイル、シムコイルへの電流供給とエコー信号の受信を行うための配線および傾斜磁場コイルを冷却する冷媒を供給するための配管の固定と、お互いの接続が、共に容易にでき、また、メンテナンス時の傾斜磁場コイル、高周波磁場コイル、シムコイルの着脱が容易にできるようになる。
【図面の簡単な説明】
【図１】第１実施例の磁気共鳴イメージング装置を示す図。
【図２】第１実施例の配線の固定構造（固定剤方式）を示す図。
【図３】第１実施例の配線の固定構造（クッション方式）を示す図。
【図４】第１実施例の配線の固定構造（ガイド・レール方式）を示す図。
【図５】第１実施例の端子接続方法を示す図。
【図６】第１実施例の図５の上面を示す図。
【図７】第１実施例の端子接続方法を示す図。
【図８】第３実施例の磁気共鳴イメージング装置を示す図。
【図９】第３実施例の端子接続方法を示す図。
【図１０】第４実施例の端子接続方法を示す図。
【図１１】凹みの略側面での配管の端子接続方法を示す図。
【図１２】ロック式のコネクタを用いた配管の接続方法を示す図。
【図１３】ゴム製のチューブを用いた配管の接続方法を示す図。
【図１４】スウェージロック式のコネクタを用いた配管の接続方法を示す図。
【図１５】凹みの略中央での配管の端子接続方法を示す図。
【符号の説明】
１  静磁場発生系、２  傾斜磁場コイル、３  高周波磁場コイル、４  中央の凹み、５  貫通穴、６  配線、７  液ダメ、８  固定剤、９  クッション材、１０  電流供給端子、１１  電流受給端子、１２  ボルト、１３  電流供給端子、１４  電流受給端子、１５  電流供給端子、１６  電流受給端子、１７  クッション材、２１  ガイド、２２  レール、３０  制御器、３１  傾斜磁場電源、３２  送信器、３３  受信器、３４  データ処理器、５０  均一静磁場領域、１００  配管端子、１０１  配管端子、１０２  ロック式コネクタ、１０３  固定バンド、１０４  ねじ、１０５  ゴムチューブ、１０６  ナット
【図１】
2004344182.tif 000003
【図２】
2004344182.tif 000004
【図３】
2004344182.tif 000005
【図４】
2004344182.tif 000006
【図５】
2004344182.tif 000007
【図６】
2004344182.tif 000008
【図７】
2004344182.tif 000009
【図８】
2004344182.tif 000010
【図９】
2004344182.tif 000011
【図１０】
2004344182.tif 000012
【図１１】
2004344182.tif 000013
【図１２】
2004344182.tif 000014
【図１３】
2004344182.tif 000015
【図１４】
2004344182.tif 000016
【図１５】
2004344182.tif 000017